(57)【要約】【課題】  洗面ボールの上端よりも実質的に高いカウンターの下側に設けられて、立てた状態で収納された比較的背の高い物が引出し動作により倒れることなく、収納物の種別を迅速に且つ正しく判断することのできる引出し収納部を備えたカウンターユニット。【解決手段】  カウンターは洗面ボールの上端よりも実質的に高い位置に設けられ、カウンターの下側には引出し収納部（５Ｒ，５Ｌ）が設けられている。引出し収納部の内部には、その収納高さのほぼ半分の高さを有する仕切り板（７）が着脱自在に設けられている。仕切り板は、間隔を隔てて前後に延びる一対のレール部材（８ａ，８ｂ）に係脱自在な係合部（７ａ，７ｂ）を有する。【選択図】  図３
2006006812.tif 000002
【特許請求の範囲】
【請求項１】
洗面ボールと該洗面ボールの少なくとも一方の側に配置されたカウンターとを備えた洗面化粧台のカウンターユニットにおいて、
前記カウンターは、前記洗面ボールの上端よりも実質的に高い位置に設けられ、
前記カウンターの下側には、引出し収納部が設けられ、
前記引出し収納部の内部には、その収納高さのほぼ半分の高さを有する仕切り板が着脱自在に設けられていることを特徴とするカウンターユニット。
【請求項２】
前記仕切り板は、間隔を隔てて前後に延びる一対のレール部材に係脱自在な係合部を有することを特徴とする請求項１に記載のカウンターユニット。
【発明の詳細な説明】
【技術分野】
【０００１】
本発明は、洗面化粧台のカウンターユニットに関するものである。
【背景技術】
【０００２】
従来、洗面ボールの両側（あるいは片側）にカウンターが設けられたタイプの洗面化粧台のカウンターユニットが知られている。この場合、化粧品や洗顔時のタオルなどを一時的に置くことができるようにカウンターが比較的広く確保され、カウンターの下側に引出し収納部が設けられている場合が多い。
【発明の開示】
【発明が解決しようとする課題】
【０００３】
従来のカウンターユニットでは、カウンターが洗面ボールの上端とほぼ同じ高さ位置に設けられているため、カウンターが洗面ボールからの水ハネの影響を受け易く、カウンターが濡れたままに放置されることが多い。その結果、濡らしたくない物、たとえば化粧品や洗顔時のタオルや入浴時の着替えなどを、カウンターに一時的に置くことができない。
【０００４】
そこで、洗面ボールからの水ハネの影響を受け難くするために、カウンターを洗面ボールの上端よりも実質的に高い位置に設ける構成が考えられる。この構成を採用すると、カウンターの下側の引出し収納部の収納高さが十分に大きく確保され、洗面化粧台において比較的使用頻度が高く且つ比較的背の高いムース整髪料や化粧品などを立てた状態で無理なく収納することができる。
【０００５】
この場合、立てた状態で収納された比較的背の高い整髪料や化粧品などが収納部の引出し動作により倒れることがないように仕切り板を設ける必要がある。しかしながら、従来の引出し収納部のように、収納高さのほぼ全体に亘って延びる背の高い仕切り板を設けると、整髪料や化粧品などのキャップだけではその種別を迅速に且つ正しく判断することができない。
【０００６】
本発明は、前述の課題に鑑みてなされたものであり、洗面ボールの上端よりも実質的に高いカウンターの下側に設けられて、立てた状態で収納された比較的背の高い物が引出し動作により倒れることなく、収納物の種別を迅速に且つ正しく判断することのできる引出し収納部を備えたカウンターユニットを提供することを目的とする。
【課題を解決するための手段】
【０００７】
前記課題を解決するために、本発明では、洗面ボールと該洗面ボールの少なくとも一方の側に配置されたカウンターとを備えた洗面化粧台のカウンターユニットにおいて、
前記カウンターは、前記洗面ボールの上端よりも実質的に高い位置に設けられ、
前記カウンターの下側には、引出し収納部が設けられ、
前記引出し収納部の内部には、その収納高さのほぼ半分の高さを有する仕切り板が着脱自在に設けられていることを特徴とするカウンターユニットを提供する。
【０００８】
本発明の好ましい態様によれば、前記仕切り板は、間隔を隔てて前後に延びる一対のレール部材に係脱自在な係合部を有する。
【発明の効果】
【０００９】
本発明にかかる洗面化粧台のカウンターユニットでは、カウンターが洗面ボールの上端よりも実質的に高い位置に設けられ、このカウンターの下側に引出し収納部が設けられている。そして、この引出し収納部の内部には、その収納高さのほぼ半分の高さを有する仕切り板が着脱自在に設けられている。
【００１０】
その結果、洗面化粧台において比較的使用頻度が高く且つ比較的背の高い整髪料や化粧品などを引出し収納部に立てた状態で収納しても、仕切り板の倒れ防止作用により、これらの比較的背の高い物が引出し動作により倒れることがない。また、整髪料や化粧品などのラベルが外部から見え易いように仕切り板の背の高さが収納高さのほぼ半分に抑えられているので、キャップだけでなくラベルも参照して整髪料や化粧品などの種別を迅速に且つ正しく判断することができる。
【００１１】
なお、本発明では、仕切り板が間隔を隔てて前後に延びる一対のレール部材に係脱自在な係合部を有することが好ましい。この構成を採用することにより、引出し収納部の内部において着脱自在に設けられるべき仕切り板を比較的簡素な構造にしたがって実現することができる。
【発明を実施するための最良の形態】
【００１２】
本発明の実施形態を、添付図面に基づいて説明する。
図１は、本発明の実施形態にかかるカウンターユニットを備えた洗面化粧台の構成を概略的に示す斜視図である。また、図２は、本実施形態にかかるカウンターユニットの構成を図１とは異なる角度から概略的に示す斜視図である。また、図３は、本実施形態における引出し収納部の仕切り板の取外し方および取付け方を概略的に示す斜視図である。
【００１３】
図１を参照すると、本実施形態の洗面化粧台ＳＫは、洗面室の床面Ｆ上に設置されたベースキャビネット１０と、このベースキャビネット１０の上に載置されたカウンターユニット１とを備えている。カウンターユニット１の上側には、図中右側から順に、１つのミラー付きの片開き扉を有するサイドミラーキャビネット１１と、３つのミラー付きの片開き扉を有する中央ミラーキャビネット１２と、サイドミラー１３とが設けられている。
【００１４】
また、中央ミラーキャビネット１２の上側には、その幅のほぼ全体に亘って水平方向に延びる照明部１４が取り付けられている。さらに、ベースキャビネット１０およびカウンターユニット１の左側には、上下に間隔を隔てた一対のミラーを有し且つ床面Ｆからサイドミラーキャビネット１１の上端（ひいては照明部１４やサイドミラー１３の上端）まで細長く延びるトールキャビネット１５が設けられている。
【００１５】
図２を参照すると、本実施形態のカウンターユニット１は、その中央に設けられた洗面ボール２と、洗面ボール２の右側に配置された右側カウンター３Ｒと、洗面ボール２の左側に配置された左側カウンター３Ｌとを備えている。ここで、右側カウンター３Ｒと左側カウンター３Ｌとは互いに同じ高さ位置に設けられている。そして、右側カウンター３Ｒおよび左側カウンター３Ｌは、洗面ボール２の上端よりも実質的に高い位置に設けられている。
【００１６】
また、洗面ボール２の底部には排水口２ａが設けられ、洗面ボール２の上側には水栓ユニット４が設けられている。さらに、右側カウンター３Ｒの下側には右側引出し収納部５Ｒが設けられ、左側カウンター３Ｌの下側には左側引出し収納部５Ｌが設けられている。ここで、右側引出し収納部５Ｒと左側引出し収納部５Ｌとは、基本的に同じ内部構成を有する。
【００１７】
また、洗面ボール２と左側カウンター３Ｌとの間において洗面ボール２のほぼ上端の高さ位置には、左側補助カウンター６Ｌが設けられている。同様に、洗面ボール２と右側カウンター３Ｒとの間において洗面ボール２のほぼ上端の高さ位置には、右側補助カウンター６Ｒ（不図示）が設けられている。なお、洗面ボール２の奥側において、左側補助カウンター６Ｌよりも僅かに低い高さ位置には、オーバーフロー２ｂが設けられている。
【００１８】
図３を参照すると、引出し収納部（５Ｒ，５Ｌ）の内部には、その収納高さのほぼ半分の高さを有する複数の仕切り板７が着脱自在に設けられている。すなわち、仕切り板７は、間隔を隔てて前後に延びる一対のレール部材８ａおよび８ｂにそれぞれ係脱自在な一対の係合部７ａおよび７ｂを有する。各係合部（７ａ，７ｂ）は、円筒状のレール部材（８ａ，８ｂ）にスナップ係合するような円弧状の断面形態を有する。
【００１９】
したがって、図３（ａ）に示すように、矢印Ｆ１にしたがって仕切り板７を上方へ引き上げることにより、各係合部（７ａ，７ｂ）とレール部材（８ａ，８ｂ）との係合が外れて、仕切り板７を引出し収納部（５Ｒ，５Ｌ）から取り外すことができる。一方、図３（ｂ）に示すように、仕切り板７の係合部（７ａ，７ｂ）をレール部材（８ａ，８ｂ）の真上に位置決めした状態で矢印Ｆ２にしたがって仕切り板７を下方へ押し下げることにより、各係合部（７ａ，７ｂ）とレール部材（８ａ，８ｂ）とがスナップ係合して、仕切り板７を引出し収納部（５Ｒ，５Ｌ）に取り付けることができる。
【００２０】
以上のように、本実施形態のカウンターユニット１では、カウンター（３Ｒ，３Ｌ）が洗面ボール２の上端よりも実質的に高い位置に設けられ、カウンター（３Ｒ，３Ｌ）の下側に引出し収納部（５Ｒ，５Ｌ）が設けられている。そして、引出し収納部（５Ｒ，５Ｌ）の内部には、その収納高さのほぼ半分の高さを有する仕切り板７が、換言すれば引出し収納部（５Ｒ，５Ｌ）の前板５ａのほぼ半分の高さを有する仕切り板７が着脱自在に設けられている。
【００２１】
その結果、洗面化粧台において比較的使用頻度が高く且つ比較的背の高い整髪料や化粧品などを引出し収納部（５Ｒ，５Ｌ）に立てた状態で収納しても、仕切り板７の倒れ防止作用により、これらの比較的背の高い物が引出し動作により倒れることがない。また、整髪料や化粧品などのラベルが外部から見え易いように仕切り板７の背の高さが収納高さのほぼ半分に抑えられているので、キャップだけでなくラベルも参照して整髪料や化粧品などの種別を迅速に且つ正しく判断することができる。
【００２２】
また、本実施形態では、仕切り板７が間隔を隔てて前後に延びる一対のレール部材（８ａ，８ｂ）に係脱自在な係合部（７ａ，７ｂ）を有する構成を採用しているので、引出し収納部（５Ｒ，５Ｌ）の内部において着脱自在に設けられるべき仕切り板７を比較的簡素な構造にしたがって実現することができる。
【００２３】
また、本実施形態では、カウンター（３Ｒ，３Ｌ）が洗面ボール２からの水ハネの影響を実質的に受けないような高さ位置に設けられているので、たとえば化粧品や洗顔時のタオルや入浴時の着替えなどのように濡らしたくない物も、カウンター（３Ｒ，３Ｌ）に一時的に置くことができる。
【００２４】
また、本実施形態では、洗面ボール２とカウンター（３Ｒ，３Ｌ）との間において洗面ボール２のほぼ上端の高さ位置に補助カウンター（６Ｒ，６Ｌ）が設けられているので、歯磨き用のコップや石鹸や毛染め用のブラシなどのような濡れ物を補助カウンター（６Ｒ，６Ｌ）に一時的に置くことができる。また、たとえば補助カウンター（６Ｒ，６Ｌ）に直接シャワー水をかけることにより、カウンター（３Ｒ，３Ｌ）を濡らすことなく補助カウンター（６Ｒ，６Ｌ）だけを洗い流して洗浄することができる。
【００２５】
また、本実施形態では、従来技術において例えばミラーの裏側の収納棚（本実施形態の中央ミラーキャビネット１２に対応）に収納していた使用頻度の高い物を、カウンター（３Ｒ，３Ｌ）の下側の引出し収納部（５Ｒ，５Ｌ）に収納することになる。その結果、使用する高さ位置と収納する高さ位置がほぼ同じになるので自然な姿勢で物を取り出したり収納したりすることが可能になるとともに、ミラーの裏側の収納棚よりもかなり簡単な動作により物を取り出したり収納したりすることが可能になる。
【００２６】
具体的に、ミラーの裏側の収納棚を用いる場合、ミラー付きの片開き扉を開き、使用したい物を棚から取り出し、ミラーを見るためにミラー付きの片開き扉を閉じ、ミラー付きの片開き扉を開き、使用した物を棚に収納し、ミラー付きの片開き扉を閉じる必要がある。これに対し、カウンター（３Ｒ，３Ｌ）の下側の引出し収納部（５Ｒ，５Ｌ）を用いる場合、収納部（５Ｒ，５Ｌ）を引き出して開け、使用したい物を収納部（５Ｒ，５Ｌ）から取り出し、使用した物を収納部（５Ｒ，５Ｌ）に収納し、収納部（５Ｒ，５Ｌ）を押し入れて閉じるだけでよい。
【００２７】
なお、上述の実施形態では、洗面ボール２の両側に一対のカウンター３Ｒおよび３Ｌが配置されている。しかしながら、これに限定されることなく、洗面ボールの片側だけにカウンターが配置されているタイプのカウンターユニットに対しても本発明を適用することができる。
【００２８】
また、上述の実施形態では、ベースキャビネット１０の上にカウンターユニット１を載置したキャビネットタイプの洗面化粧台に対して本発明を適用している。しかしながら、これに限定されることなく、たとえば図４に示すようにカウンターユニット１の下側にベースキャビネットが設けられていないオープンカウンタータイプの洗面化粧台に対しても本発明を同様に適用することができる。
【００２９】
また、上述の実施形態では、円筒状のレール部材（８ａ，８ｂ）と円弧状の断面形態を有する係合部（７ａ，７ｂ）との係合を利用して、仕切り板７が引出し収納部（５Ｒ，５Ｌ）の内部において着脱自在に設けられている。しかしながら、これに限定されることなく、仕切り板７の着脱機構に関しては本発明の範囲内で様々な変形例が可能である。
【図面の簡単な説明】
【００３０】
【図１】本発明の実施形態にかかるカウンターユニットを備えた洗面化粧台の構成を概略的に示す斜視図である。
【図２】本実施形態にかかるカウンターユニットの構成を図１とは異なる角度から概略的に示す斜視図である。
【図３】本実施形態における引出し収納部の仕切り板の取外し方および取付け方を概略的に示す斜視図である。
【図４】本実施形態にかかるカウンターユニットをオープンカウンタータイプの洗面化粧台に適用した変形例を概略的に示す斜視図である。
【符号の説明】
【００３１】
１  カウンターユニット
２  洗面ボール
３Ｒ，３Ｌ  カウンター
４  水栓ユニット
５Ｒ，５Ｌ  引出し収納部
５ａ  引出し収納部の前板
６Ｒ，６Ｌ  補助カウンター
７  仕切り板
７ａ，７ｂ  仕切り板の係合部
８ａ，８ｂ  レール部材
ＳＫ  洗面化粧台
Ｆ  洗面室の床面
１０  ベースキャビネット
１１  サイドミラーキャビネット
１２  中央ミラーキャビネット
１３  サイドミラー
１４  照明部
１５  トールキャビネット
【図１】
2006006812.tif 000003
【図２】
2006006812.tif 000004
【図３】
2006006812.tif 000005
【図４】
2006006812.tif 000006